(57)【要約】【課題】  コンパクトで調整可能な電力分割器およびフィルタ装置を提供する。【解決手段】  本発明は、電気通信システムで用いられる入力マルチプレクサ（ＩＭＵＸ）装置用の入力回路として特に使用できる電力分割器およびフィルタ装置構造に関する。  本発明による装置は、１つの入力ポートおよびいくつかの出力ポートを含み、かつ共振ポストが配置された、いくつかの空洞（１つの空洞当たり１つのポスト）を作製するように構成される。空洞は、開口部によって他の空洞と通信する。空洞は、入力ポートに着信する入力信号が、結合により装置を通って伝播するように配置される。空洞および共振ポストは、入力信号が装置を通過するときに、その信号が、同一の動作によって、フィルタリングされ、かつ装置が含む出力部と同数の出力信号に分割され、入力信号のエネルギが出力部間に分散されるような方法で、構成および配置される。【選択図】      図６
2011130448.tif 000002
【特許請求の範囲】
【請求項１】
単一装置の電力分割器およびフィルタであって、それが、１つの入力部（６５３）およびＮ個の出力部（６４３、６６３）、ならびにＰ個の結合された共振要素（６４１、６５１、６６１、６４２、６５２、６６２）を含み、前記装置が、入力信号を、所与の等しい予め設計され調整可能な周波数帯域幅を備えたＮ個の異なる出力信号に分割し、前記入力信号の電力が、制御可能な方法で前記出力信号間に共有されることを特徴とする単一装置の電力分割器およびフィルタ。
【請求項２】
前記装置が、カバー（８２）によって閉じられたケース（８１）をさらに含み、前記ケースが、内壁（６７）によって６つの空洞（６４４、６４５、６５４、６５５、６６４および６６５）に分割された内部空間を含み、前記空洞が、開口部（６４６、６４７、６５６、６６６および６６７）によって互いに通信し、各空洞が、金属共振ポスト（６４１、６４２、６５１、６５２、６６１、６６２）を含み、１つのポスト（６５１）が、前記入力信号を受信するように構成され、一方で２つの他のポスト（６４１、６６１）が、フィルタリングされた出力信号を送信するように構成され、前記入力信号が、前記ポスト間の結合によって、前記入力部から、前記別個の出力部へ送信されることと、前記開口部のサイズおよび形状ならびに前記ポスト間の距離が、前記２つの出力信号用の所望の帯域幅を得るためと同様に、これらの出力信号の電力における所望のバランスを得るように画定されることと、を特徴とする、請求項１に記載の装置。
【請求項３】
前記入力信号を受信するように構成された前記ポスト（６５１）と同様に、前記２つの出力信号を送信するように構成された前記２つのポスト（６４１、６６１）が、平行六面体形状を有し、一方で前記他のポスト（６４２、６５２、６６２）が、円筒形状を有することを特徴とする、請求項２に記載の装置。
【請求項４】
前記入力ポスト（６５１）および前記２つの出力ポスト（６４１、６６１）が、入力ポート（６５３）または出力ポート（６４３、６６３）にそれぞれ連結されることを特徴とする、請求項２または３に記載の装置。
【請求項５】
前記カバー（８２）が、電力バランスおよび帯域幅調整ねじを受け入れるように構成されたねじ穴（８４）を含み、前記穴が、前記様々な空洞を分離する前記ポストまたは前記開口部に対面するように前記カバーの表面に配置されることを特徴とする、請求項２〜４のいずれか一項に記載の装置。
【請求項６】
入力ポート（１１）で受信した信号を、いくつかの出力信号に分割し、前記出力信号のそれぞれが、別個の出力ポート（１５１、１６１）に送信され、各出力信号が、所与の帯域幅、および前記入力信号の電力レベルにおける所与の部分に対応する電力レベルを有するように構成されたマルチプレクサ装置であって、前記マルチプレクサ装置の前記出力ポートが２つのセット（１５、１６）に集中され、前記マルチプレクサ装置が、請求項１〜５のいずれか一項に記載の電力分割器およびフィルタ装置（１２）を含み、前記電力分割器およびフィルタ装置の入力部（１２１）が、前記マルチプレクサ装置の前記入力部（１１）に接続され、前記電力分割器およびフィルタ装置（１２）によって生成された前記２つの出力信号（１２２、１２３）のそれぞれが、前記２つの出力ポートセット（１５、１６）の１つに送信されることを特徴とするマルチプレクサ装置。
【請求項７】
前記共振要素を実現するために用いられる前記要素または技術とは関係なく、実現された前記結合メカニズムとは関係なく、前記入力ポートおよび前記Ｎ個の出力ポートを前記対応するポート共振器に接続するために用いられる前記技術とは関係なく、かつ前記周波数帯域幅および／または前記電力分割を調整するために用いられる前記メカニズムとは関係なく実現される、請求項１に記載の任意の特定の装置。
【発明の詳細な説明】
【技術分野】
【０００１】
本発明は、マイクロ波受動装置の分野に関する。本発明は、特に、マイクロ波マルチプレクサおよび電力分割器に関する。
【背景技術】
【０００２】
いくつかの電気通信システムにおいて、受信信号には、周波数において多重化されたいくつかの通信チャネルが含まれる。各チャネルを別個に処理するために、受信機器には、一般に、入力マルチプレクサ（ＩＭＵＸ）装置が含まれる。ＩＭＵＸ装置の機能は、入力信号に含まれる各周波数チャネルを分離すること、および各チャネルを異なる出力部に送信することであり、その結果として、チャネルのそれぞれに対応する信号は、別個に処理することができる。図１は、ＩＭＵＸ装置の典型的なブロック図を示す。
【０００３】
かかるマイクロ波装置には、入力チャネルおよびいくつかの別個の出力チャネルが含まれ、これらの出力チャネルのそれぞれは、制限された帯域幅を備えた信号を送信するフィルタに存する。前記帯域幅は、出力チャネルが送信することになっている通信チャネルの帯域幅に対応する。この目的のために、フィルタは、入力信号の帯域幅を通信チャネルの帯域幅に制限するように構成される。
【０００４】
この機能を達成するために、出力チャネルは、一般に、２つのグループに分離され、隣接チャネル間の相互作用を最小限にする。各グループは、入力信号の全帯域幅の一部をカバーし、２つのグループの帯域幅の合計は、入力信号の完全な帯域幅に等しい。最も一般的な実施形態において、２つのグループのそれぞれは、完全な帯域幅のほぼ半分をカバーする。
【０００５】
この目的のために、ＩＭＵＸには、一般に、電力スプリッタ／分割器に関連するフィルタを含む分割入力セクションが含まれる。入力セクションフィルタは、無駄な帯域を拒否する一方で入力信号の帯域幅と一致するように意図されている。次に、フィルタリングされた入力信号は、異なる通信チャネルに送信される。かかる構成は、有用な帯域からの信号がアクティブな機器に達するのを回避するが、これは、システム性能を劇的に低減する可能性がある。
【０００６】
図１に示すように、かかる入力セクションにおいて、電力分割機能は、入力信号を２つの出力に分割するが、各出力は、入力信号の電力の半分を備えている。
【０００７】
周知のマイクロ波構造を用い、散逸および不整合による最小電力損失で、かつ入力信号の最小の歪みで、この機能を達成することができる。かかる構造には、一般に、接続手段によって共に接続された２つの別個の要素、すなわちフィルタリング要素および電力分割要素が含まれる。かかる構成の欠点は、フィルタ要素およびスプリッタ要素が別個に構築および調整されるので、完全な構造の最適な調整を実現するために、２つの要素が共に接続される場合にさらなる調整を行わなければならないということである。この最適な調整は、電力損失および入力信号の歪みを最小限にするために重要である。
【０００８】
かかる構造の別の欠点は、それが、２つの異なる機能を実行する２つの別個の要素で作製されるので、完全な構造のサイズが、主として、各要素のサイズに依存するということである。したがって、構造の全体的サイズの低減は、１つまたは両方の要素のサイズが可能な場合にのみ可能である。
【０００９】
他の周知のマイクロ波構造を用い、散逸および不整合による最小の電力損失で、かつ入力信号の最小の歪みで、この機能を達成することができる。これらの構造は、それらがフィルタリング機能および電力分割機能を重ね合わせる点で、前述の構造と異なる。しかしながら、かかる構造において、各機能を実行する構成要素は、やはり明白に識別可能である。
【００１０】
かかる構造の例が、米国特許第２，８２３，３５６号明細書に説明されているが、この特許は、次のような装置を開示している。すなわち、前述の構造におけるように電力分割の前ではなく、電力分割中にフィルタリングが適用される単一装置と見なすことができるが、各機能のために異なる要素（フィルタリング用の空洞共振器および電力分割用のカプラ）を用いて電力分割および帯域選択を実行する装置を開示している。しかしながら、かかる構造は、調整（帯域幅、中心周波数、選択性等）を行うことによって周波数挙動を変更する能力も、複雑な応答を達成する能力も有しない。
【００１１】
かかる構造の別の例が、米国特許第２，７３５，０６９号明細書に説明されているが、この特許は、電力分割を調整できる装置を開示している。しかしながら、フィルタリング機能の周波数挙動は、固定されており、調整可能ではない。
【発明の概要】
【発明が解決しようとする課題】
【００１２】
本発明の１つの目的は、入力マルチプレクサの入力セクションを作製するために用いられる周知の構造の欠点を克服できるようにする入力セクション構造を提供することに関する。
【００１３】
本発明のより一般的な目的は、フィルタリングおよび分割機能を同一の装置に組み合わせることができる構造を提供することである。別の目的は、入力信号の帯域幅がたとえ何であっても、厳密に制限された帯域幅を備えた同じ電力の２つの信号を入力信号から生成できる統合された信号分割器／スプリッタ構造を提供することである。本発明の別の目的は、電力バランス用と同様に周波数挙動用に制御され得る入力機能を提供することである。
【課題を解決するための手段】
【００１４】
この目的のために、本発明の主題は、単一装置の電力分割器およびフィルタであって、それが、１つの入力部およびＮ個の出力部、ならびにＰ個の結合された共振要素を含み、前記装置が、入力信号を、所与の等しい予め設計された調整可能な周波数帯域幅を備えたＮ個の異なる出力信号に分割し、入力信号の電力が、制御可能な方法で出力信号間に共有される電力分割器およびフィルタである。
【００１５】
好ましい実施形態において、本発明による装置は、カバーによって閉じられたケースを含み、前記ケースは、内壁によって６つの空洞に分割された内部空間を含み、前記空洞は、開口部によって互いに通信する。各空洞には、金属共振ポストが含まれる。ポストの１つが、入力信号を受信するように構成され、一方で２つの他のポストが、フィルタリングされた出力信号を送信するように構成される。入力信号は、ポスト間の結合によって、入力部から、別個の出力部へ送信される。開口部のサイズおよび形状ならびにポスト間の距離は、２つの出力信号用の所望の帯域幅を得るためと同様に、これらの出力信号の電力における所望のバランスを得るように画定される。
【００１６】
本発明による装置の好ましい実施形態の特定の形態において、入力信号を受信するように構成されたポストと同様に、２つの出力信号を送信するように構成された２つのポストは、平行六面体形状を有し、一方で他のポストは、円筒形状を有する。
【００１７】
本発明による装置の好ましい実施形態の別の特定の形態において、入力ポストおよび２つの出力ポストは、入力ポートまたは出力ポートにそれぞれ連結される。
【００１８】
本発明による装置の好ましい実施形態において、カバーには、電力バランスおよび帯域幅調整ねじを受け入れるように構成されたねじ穴が含まれ、前記穴は、様々な空洞を分離するポストまたは開口部に対面するようにカバーの表面に配置される。
【００１９】
本発明の別の主題は、入力ポートで受信した信号を、いくつかの出力信号に分割するように構成されたマルチプレクサ装置であって、出力信号のそれぞれが、別個の出力ポートに送信され、各出力信号が、所与の帯域幅、および入力信号の電力レベルにおける所与の部分に対応する電力レベル有するマルチプレクサ装置である。本発明によれば、マルチプレクサ装置は、その出力ポートが２つのセットに集中されるように、本発明による電力分割器およびフィルタ装置を含み、電力分割器およびフィルタ装置の入力部は、マルチプレクサ装置の入力部に接続され、電力分割器およびフィルタ装置によって生成された２つの出力信号のそれぞれは、２つの出力ポートセットの１つに送信される。
【００２０】
本発明の特徴および利点は、以下の説明から一層よく理解されるであろうが、それらは、非限定的な例として得られた特定の実施形態を介して本発明を説明し、かつ添付の図に基づいている。
【図面の簡単な説明】
【００２１】
【図１】電気通信システムにおいて普通に用いられる入力マルチプレクサの概略図である。
【図２】ＩＭＵＸに信号を供給するために普通に用いられる入力装置の第１の例の概略図である。
【図３】ＩＭＵＸに信号を供給するために普通に用いられる入力装置の第２の例の概略図である。
【図４】本発明の動作概念を示す概略図である。
【図５】本発明による入力セクションの一般的な動作原理を示す概略図である。
【図６】本発明の一実施形態による装置の主要部分の簡略化された拡大図である。
【図７】図６の特定の実施形態に対応する等価回路ネットワーク図である。
【図８】本発明による入力装置の全体的な引き伸ばし図である。
【発明を実施するための形態】
【００２２】
本発明に従って提案される入力セクション装置は、現在の入力セクションに対する代替的改良である。前述のように、現在の入力セクションは、入力セクションの２つの異なる機能を実現するために異なる要素を用いる。
【００２３】
図１は、電気通信機器（受信機）において普通に用いられる入力マルチプレクサＩＭＵＸの機能図を示す。かかる装置には、主として、２つの部分、すなわち入力ポート１２１ならびに２つの出力ポート１２２および１２３を含む入力セクション１２に存する入力部と、出力チャネルの２つの別個のセット１５および１６を含む出力部と、が含まれる。
【００２４】
出力チャネルの各セット１５または１６自体には、入力セクション１２の２つの出力ポート１２２または１２３の１つに接続された入力ポートと、各ポートがＩＭＵＸ装置の出力チャネルの１つに対応するＮ個の出力ポート１５１または１６１と、が含まれる。図１の例は、２つの出力チャネルセットを備えたＩＭＵＸ装置を示すが、セットのそれぞれは、Ｎ＝４チャネルを含む。
【００２５】
ＩＭＵＸの各出力チャネルには、主として、帯域通過フィルタ１７が含まれ、その帯域幅は、通信チャネルの１つにおける帯域幅に対応する。さらに、例におけるフィルタの帯域幅Δｆ１〜Δｆ８は、一般に、全通信帯域幅ΔＦをカバーするように構成される。
【００２６】
図１によって示す先行技術によれば、入力セクション１２には、主として、２つの別個の要素の入力部、すなわち帯域通過フィルタ１３および後続の電力スプリッタ／分割器１４が含まれる。帯域通過フィルタ１３は、全通信帯域幅と一致し、かつ帯域外信号を強く拒否するように構成される。電力分割器１４は、一般に、入力セクションによって受信された入力信号を一般に同じ電力の出力信号に分配し、各信号は、セクション１２の２つの出力ポートの１つに送信される。
【００２７】
図２は、入力セクション機能１２を達成する、先行技術における周知の装置の第１の例を示す。この例において、入力セクションは、２つの別個の結合された装置２１および２２を同一の実施形態において含む導波管構造を有する。
【００２８】
図３は、先行技術における周知の装置の第２の例を示す。この第２の例において、入力セクションは、２つの別個の装置を同一の実施形態において含む平面構造を有する。前記構造には、電力分割器主要素３１であって、その２つの出力ポート３３および３４に対応する末端部３２を備えた電力分割器主要素３１が含まれる。主要素３１は、入力ポート３６が接続される開始部３５を有し、このポートには、その最初に帯域通過フィルタが含まれる。
【００２９】
これらの２つの構造が、入力セクション構造の２つの異なる可能な実施形態に対応し、これらのそれぞれが、その利点および欠点を有することに注目することができる。しかしながら、前述のように、かつ図３および４から分かるように、これらの構造の両方とも、分割機能およびフィルタリング機能を別個に達成し、一つの機能が、もう一方の機能の後に実行される、という同じ欠点を共有する。
【００３０】
図４は、本発明の動作概念を示す概略図を示す。
【００３１】
本発明の主な機能原理は、マイクロ波フィルタ設計用の周知の方法に基づいている。マイクロ波フィルタは、いくつかの電気的要件に従って周波数応答を示す２ポート装置である。設計方法は、一般に、これらの要件を受け入れ、それらに対応する理想的な数学的応答（典型的にはチェビシェフ（Ｃｈｅｂｙｓｈｅｖ）応答）を構成する。次に、この理想的な数学的応答は、図４に示すように共振器およびカプラに基づいて、集中した構成要素を備えた電気回路によって実現することができる。
【００３２】
周知の統合方法を用いることによって、理想的な数学曲線に応答がよりよく適合する等価電気ネットワークを設計することが可能になる。したがって、理想的な等価回路の共振特性および結合特性を有するマイクロ波構造を構築することによって、所望の応答に近づくことが可能になる。
【００３３】
図示のように、このように設計された回路４１には、互いに正結合または負結合によって結合された共振要素４２、４３および４４が含まれる。マイクロ波共振器は、任意の既存で周知の技術（同軸共振器、空洞共振器、誘電体共振器．．．）を用いて構築することができる。入力回路および出力回路は、それらに関しては、ポート共振器と呼ばれるいくつかの共振器４３および４４によって装置に結合される。
【００３４】
ポート共振器４３および４４に結合され、かつ互いに結合された他の共振器４２が、図４において発電機ｅＧおよび抵抗器ＲＧによって示された入力回路によって生成された電磁エネルギを分割し、それを、抵抗器ＲＬによって示された出力回路に送信する。装置の周波数応答は、そのトポロジーによって与えられ、かつ等価電気ネットワークの結合マトリックスに依存する。
【００３５】
同じ概念は、図５に示す回路のようなより一般的なネットワークに拡張できるが、図５は、１つの入力部５１、Ｎ個の出力部５２およびＰ個の結合共振要素５３を備えた一般的な入力セクションの挙動を示し、入力ポートおよび出力ポートの両方とも、１つまたは複数の共振要素に接続／結合することができる。
【００３６】
等価電気回路が定義されるので、等価電気回路の電気的特性に対応するマイクロ波構造要素の電気的特性を決定する物理的寸法の解析を実行することができる。この解析は、任意の適切な周知の方法を用いて行うことができる。有利なことに、かかる解析によって、所望の装置を構築するために用いられるマイクロ波構造要素の物理的寸法を、等価電気回路の対応する要素の値に関連づけることが可能になる。さらに、このように確立された構造は、電磁シミュレータにおいてテストし、かつ所望の特性と最善の状態では一致するように、異なる要素の値を最適化することができる。
【００３７】
したがって、かかる方法を用いれば、集中した要素を含む回路として装置を構築することが可能になる。これによって、エネルギ分割機能およびフィルタリング機能を容易かつ正確に調整できるコンパクトで効率的な装置を得るために、異なる要素４２、４３または４４間の相互作用Ｍを別個に制御できる、いくつかの要素を含む装置を設計することが可能になる。
【００３８】
さらに、異なる要素の特性およびそれらの配置は、共通の入力部および２つの別個の出力部を備えた２つの同一のフィルタを含む装置を単一装置として構築するように、決定することができ、各フィルタは、フィルタリングされた信号を対応する出力部で送信し、かつエネルギが、共通の入力部で受信された信号のエネルギの半分に等しい信号を処理する。
【００３９】
かかる装置では、異なる信号経路を区別することができ、これらの経路が、装置の入力部の近くの共通部分を共有することに注目しなければならない。したがって、電力分割のバランスは、共通部分における結合値を修正することよって制御され、一方で周波数応答の形状は、構造全体の結合値および共振値によって制御される。したがって、達成可能な周波数応答は、極めて複雑にすることができる。それは、所望の周波数帯域において信号の歪みを低減できるのと同様に、ある周波数に対して送信空白を含めることができ、または中央周波数に対して対称性を壊すことさえできる。
【００４０】
図６は、例として与えられる特定の実施形態において、本発明による装置の主構造の概略図を示す。本発明によれば、この実施形態は、同一の動作で電力分割および周波数フィルタリングを実行する装置に対応する。
【００４１】
本発明による装置には、主として、６つの空洞６４４、６４５、６５４、６５５、６６４および６６５を形成するために、２つの内部金属壁６７によって部分的に分割された主金属空洞６１が含まれる。これらの空洞には、互いに結合された共振金属ポスト６４１、６４２、６５１、６５２、６６１および６６２が含まれる。
【００４２】
好ましい実施形態において、金属ポスト６４１、６５１または６６１は、装置の同軸入力部／出力部６４３、６５３および６６３に接続され、かつ平行六面体形状を有する。他のポスト６４２、６５２および６６２は、円筒状である。
【００４３】
本発明によれば、金属ポストのサイズと同様に、異なる空洞の寸法も、信号の周波数および入力電力に関連して周知の方法で決定される。前述のように、これらの決定は、前述の方法を用いて行うことができる。他方で、異なるポスト間の距離は、ポスト間の開口部のサイズと同様に、ポスト間の結合を制御する。
【００４４】
本発明によれば、また、共振ポスト６５１は、同軸入力部６５３を提供する接続手段によって、入力信号に接続される。同様に、横の共振ポスト６４１および６６１は、それぞれ、フィルタリングされた出力信号を供給するが、この信号のエネルギは、入力信号のエネルギの半分である。出力信号は、同軸接続部６４３および６６３によって送信される。
【００４５】
したがって、着信信号は、入力同軸線から、着信信号を共振ポスト６５２へ送信する第１の共振ポスト６５１を通って、フィルタの内側部へ伝播するが、帯域幅を制御するために用いられるメカニズムは、両方のポスト間の距離および開口部６５６の幅である。次に、ポスト６５２によって送信される信号は、２つの部分に分割され、各部分は、２つの共振ポスト６４２および６６２の１つに送信され、このようにして２つの別個の経路を画定する。ここでは、分割のバランスは、所望の帯域幅とも一致する開口部６４７および６６７によって制御される。最後に、信号は、ポスト６４２および６６２から、２つの出力共振ポスト６４１および６６１に伝達される。ここで、距離はまた、帯域幅を制御するメカニズムである。
【００４６】
したがって、本発明によれば、装置の所望の帯域幅は、空洞のそれぞれに位置するポスト間の距離、および空洞間の開口部６５６、６４７および６６７のサイズを制御することによって得られる。さらに、入力信号の電力分割のバランスは、空洞６４５および６６５間の開口部６４７および６６７のサイズを制御することによって達成される。
【００４７】
かかる構造において、金属ポストは、通信信号が装置を通過するときに、通信信号に含まれる電磁エネルギを蓄積および緩和しながら独力で共振する。したがって、電磁エネルギは、ポスト間の距離および開口部６５６、６４７および６６７の幅を用いて、ポスト間を直接伝播し、結合の強さを制御する。円筒状ポスト６４２、６５２または６６２は、内部共振器を構成し、一方でポスト６５１は、装置内に信号を導入する入力共振器を構成し、ポスト６４１および６６１は、装置の出力部６４３および６６３に伝播信号を送信する出力共振器を構成する。伝播経路は、図６に示す３つの点線６１、６２および６３によって示されている。
【００４８】
図７は、図６の特定の実施形態の等価回路ネットワークを示す。この図において、ポストのそれぞれは、共振回路７９として図示され、ポスト間の結合は、曲線の両矢印７１、７２、７３、７４および７５によって図示されている。同様に、入力および出力ポートは、Ｌ−Ｃ回路７６、７７および７８によって図示されている。
【００４９】
本発明による装置は、様々な方法で製造することができる。図８は、図６に示す主構造に対応する装置の特定の実施形態を示す。
【００５０】
この特定の実施形態において、装置は、金属、例えばアルミニウムで製造される。装置には、本体８１およびカバーまたは蓋８２が含まれる。共振器６４１、６５１、６６１および６４２、６５２、６６２用の金属ポスト、ならびに内壁６７が、６つの空洞６４４、６４５、６５４、６５５、６６４および６６５、ならびに結合用の開口部６５６、６４７および６６７と同様に、本体８１に直接製造される。
【００５１】
入力ポートおよび出力ポート６４３、６５３および６６３は、同軸タイプ、例えばＳＭＡコネクタであり、ねじ式アンテナ８３によって、平行六面体ポスト６４１、６５１および６６１に有線で直接接続される。
【００５２】
共振要素は、金属ポスト６４１、６４２、６５１、６５２、６６１および６６２の形状を取る。さらに、共振器間の結合は、６つの空洞を分離する開口部６４６、６５６、６６６、６４７および６６７によって実行される。
【００５３】
この実施形態によれば、カバー８２は、例えば、装置の周囲に配置されたねじによって本体８１とひとまとめにされるように構成されたプラン金属カバーである。さらに、カバー８２にはまた、フィルタリング機能および電力分割バランス調整のために設けられる調整ねじを含んでもよい。これらのねじは、各共振ポスト６４１、６４２、６５１、６５２、６６１および６６２の上ならびにこれらを分離する空間の上で、カバー上の特定の場所に配置されて、各共振器および各結合の挙動を別個に修正または調整すること、およびその特性を調整することを可能にする。好ましい実施形態において、これらのねじは、カバー８２に機械加工されたねじ穴８４に組み付けられる。
【００５４】
図８で分かるように、本発明による装置には、さらに、電気的な反射減衰量を改善するために、アイソレータ要素８５を含んでもよい。図８の実施形態において、これらの要素は、例えば、入力ポートおよび出力ポート６４３、６５３および６６３に直接接続される。
【００５５】
したがって、前述のように、本発明による装置によって、フィルタリング機能および分割機能の両方に寄与する集中した要素を含む同一の回路で、帯域幅選択および電力分割を実行することが可能になる。したがって、この装置は、入力マルチプレクサの入力セクション回路として有利に用いることができる。
【００５６】
有利なことに、かかる装置は、古典的なフィルタ回路統合技術を用いて設計することができ、かつその周波数応答および電力バランス比を正確に調整する調整要素を含むことができる。さらに、かかる装置は、周波数応答を任意に複雑にすることができるような方法で設計することができる。
【００５７】
より一般的には、この構造は、任意の「ｎ方向」電力分割器を実現するために適用可能であり、ここでｎは、１を超える整数である。さらに、この構造は、電力分割回路または装置であって、動作周波数帯域幅を正確に画定しなければならず、かつ最大性能を維持する一方で全体的な質量およびサイズを最小限にすることが主な目標である電力分割回路または装置を構築するために適している。
【符号の説明】
【００５８】
１１  入力ポート
１２  入力セクション
１３  帯域通過フィルタ
１４  電力スプリッタ／分割器
１５  出力チャネルセット
１６  出力チャネルセット
１７  帯域通過フィルタ
２１  結合された装置
２２  結合された装置
３１  電力分割器主要素
３２  末端部
３３  出力ポート
３４  出力ポート
３５  開始部
３６  入力ポート
４１  回路
４２  共振要素
４３  共振要素
４４  共振要素
５１  入力部
５２  出力部
５３  結合共振要素
６１  点線
６２  点線
６３  点線
６７  内部金属壁
７１  曲線両矢印
７２  曲線両矢印
７３  曲線両矢印
７４  曲線両矢印
７５  曲線両矢印
７６  Ｌ−Ｃ回路
７７  Ｌ−Ｃ回路
７８  Ｌ−Ｃ回路
７９  共振回路
８１  本体
８２  カバー
８３  ねじ式アンテナ
８４  ねじ穴
８５  アイソレータ要素
１２１  入力ポート
１２２  出力ポート
１２３  出力ポート
１５１  出力ポート
１６１  出力ポート
６４１  共振金属ポスト
６４２  共振金属ポスト
６４３  同軸出力部
６４４  空洞
６４５  空洞
６４６  開口部
６４７  開口部
６５１  共振金属ポスト
６５２  共振金属ポスト
６５３  同軸入力部
６５４  空洞
６５５  空洞
６５６  開口部
６６１  共振金属ポスト
６６２  共振金属ポスト
６６３  同軸出力部
６６４  空洞
６６５  空洞
６６６  開口部
６６７  開口部
【図１】
2011130448.tif 000003
【図２】
2011130448.tif 000004
【図３】
2011130448.tif 000005
【図４】
2011130448.tif 000006
【図５】
2011130448.tif 000007
【図６】
2011130448.tif 000008
【図７】
2011130448.tif 000009
【図８】
2011130448.tif 000010
【外国語明細書】
2011130448000001.pdf